(57)【要約】【課題】  低コストで持ち運びが可能であると共に、どこでも手軽に使用することができるマッサージ用具を提供することを目的とする。【解決手段】  袋状の保持帯１と、該保持帯１の内部に備える球体２と、から構成し、前記保持帯１は伸縮性を保有していることを特徴とする。【選択図】      図１
2005246008.tif 000002
【特許請求の範囲】
【請求項１】
袋状の保持帯（１）と、該保持帯（１）の内部に備える球体（２）と、から構成し、前記保持帯（１）は伸縮性を保有していることを特徴とするマッサージ用具。
【請求項２】
前記保持帯（１）の帯幅と前記球体（２）の球径が略同じであることを特徴とする請求項１記載のマッサージ用具。
【請求項３】
前記球体（２）が複数個備えてあることを特徴とする請求項１又は２記載のマッサージ用具。
【発明の詳細な説明】
【技術分野】
【０００１】
本発明は、足裏や掌に分布するつぼを刺激し、血行を良好にしてマッサージ効果を得ることができるマッサージ用具に関するものである。
【背景技術】
【０００２】
足裏や掌にはたくさんのつぼが分布しており、特に足裏は第二の心臓とも呼ばれるほど身体の中でも非常に重要な部位となっている。このため、従来より様々な足裏のマッサージ用具が多数提案されている。例えば、振動等のような機械的、電気的な刺激をつぼに与える電動式のものや、突起部やローラー等が備えられた板体の上に足を乗せてつぼを刺激するものなどが挙げられる。
【発明の開示】
【発明が解決しようとする課題】
【０００３】
しかしながら、上記記載のマッサージ用具は、特に電動式のものに関しては高価であるため手軽さに欠け、また、どのマッサージ用具も形状上、持ち運ぶことが難しいため携帯することは極めて困難となり、そのためマッサージ用具が設置された特定の場所のみでしか使用することができないという問題があった。また、マッサージ用具自体が大きく嵩張るため場所を取ってしまうという問題もあった。
【０００４】
そこで本発明は、上記事情に基づいてなされたものであり、低コストで持ち運びが可能であると共に、どこでも手軽に使用することができるマッサージ用具を提供することを目的とする。
【課題を解決するための手段】
【０００５】
上記目的を達成するために、請求項１記載の発明のマッサージ用具は、袋状の保持帯と、該保持帯の内部に備える球体と、から構成し、前記保持帯は伸縮性を保有していることを特徴とする。
【０００６】
ここで保持帯とは、用具を使用する際に保持帯が環状になるものであり、無端であっても有端であってもよく、有端の場合には、用具を使用する際に両端を結んだり、マジックテープ等で両端を着脱自在にしておくことが望ましい。また、保持帯の材質に関しては、伸縮性を保有する材質であれば特に限定するものではないが、ゴムやポリウレタン繊維（スパンデックス）等からなる布地にすることが望ましい。球体に関しては、足裏のつぼを確実且つ効果的に刺激することが可能な大きさ及び材質であれば、特に限定するものではないが、使用上の安全性や使用感を考慮して弾力性を保有する材質を用いることが望ましい。また、磁気を帯びたものや遠赤外線を出すような医療的効果のある材質、例えばチタンやセラミック、トルマリン等といった材質にしてもよい。
【０００７】
このように構成することで、球体を足裏と床の間に挟み、保持帯を足の甲（特に中足骨や楔状骨の部分）や膝から太股の間の部分に引っ掛けたり縛るなどして架け渡することにより、球体を足裏に確実に保持させることができ、その状態でさらに足を前後、左右等の方向に動かすだけで、使用者にとって最適な刺激を足裏全体に容易に得られることができる。また、掌に球体が位置するように保持帯を掌と手の甲に架け渡すことにより、球体を掌に確実に保持することができ、その状態で球体を指先で掴んだり放したりするだけで、掌にマッサージ効果が得られると共に、指先のリハビリにもなる。
【０００８】
請求項２記載の発明のように、保持帯の帯幅と球体の球径が略同じであることを特徴とする。
【０００９】
球体の備える個数は単数であってもよいが、請求項３記載の発明のように複数個備えてもよい。複数個備える場合は、各球体の球径を同一にしてもよいし、大小異ならせてもよい。複数個の球体の備え方については、各球体が隣り合うように並列させて備えてもよいし、各球体相互の間に間隔を設けてそれぞれを離した状態で備えてもよい。球体の球径が大小異なる場合は、一つの用具で様々な種類の刺激を得るためにも各球体相互の間に間隔を設けた状態に備えることが望ましい。
【発明の効果】
【００１０】
請求項１記載の発明によれば、球体を足裏と床の間に挟み、保持帯を足裏と足の甲（特に中足骨や楔状骨の部分）又は膝から太股の間の部分とに架け渡すことにより、球体を足裏に確実且つ安定に保持させることができ、さらにその状態で足を前後、左右等の方向に動かすだけで、使用者にとって最適な刺激を足裏全体に容易に得ることができる。また、掌に球体が位置するように保持帯を掌と手の甲に架け渡すことにより、球体を掌に確実に保持することができ、その状態で球体を指先で掴んだり放したりするだけで、掌にマッサージ効果が得られると共に、指先のリハビリにもなる。また、構成が非常に単純であるため製造コストの低減化を図ることができると共に、非常にコンパクトな形状であるため持ち運びが容易となり携帯することも可能であるため、どこでも手軽に使用することができ、さらに、使用中の体裁が良いことから商品価値に非常に優れたマッサージ用具を提供することができる。特に、保持帯の形態が袋状であるため、保持帯の内部に球体を入れることが可能となり、使用する際に球体が肌に直接当たることを防いで使用感を非常にソフトにすることができる。また、保持帯内部において球体の位置を変更することが可能であるため、保持帯の一部にのみ力が集中して摩耗することを防ぎ保持帯の強度を向上させて耐用年数を伸ばすことができる。さらに保持帯が伸縮することにより、用具を装着する作業が容易になると共に、球体を足裏や掌にフィットさせて確実且つ安定に保持することができるため、使用中において装着部位に違和感がなく装着感も非常にソフトになり、老若男女問わず使用感が良好なものとなる。また、球体を足や指先の動きに追従して全方向にスムーズに移動可能となり、足裏や掌全体を効果的に刺激することができ、その結果マッサージ効果を向上させることができる。
【００１１】
請求項２記載の発明によれば、保持帯の帯幅と球体の球径を略同じにすることにより、球体を保持帯内の一部に固着しなくとも保持帯と球体を一体化させることが可能であるため、球体の移動をよりスムーズにして使用感をより一層良好にすることができる。
【００１２】
請求項３記載の発明によれば、球体を複数個備えることにより、足裏や掌に様々な刺激を与えることが可能となり、足裏や掌に得られるマッサージ効果をより一層向上させることができる。
【発明を実施するための最良の形態】
【００１３】
以下、本発明のマッサージ用具の実施形態を図面に基づいて説明する。
【００１４】
図１は、本発明の第１実施形態を示す斜視図である。用具は環状の保持バンド１と、球体２とから構成されている。保持バンド１は、伸縮性を保有するスパンデックス繊維からなる布地を袋状に縫製したものであり、帯幅は３０ｍｍ〜４０ｍｍである。球体２は、弾力性を保有するゴムからできており、保持バンド１の帯幅と略同じ３０ｍｍ〜４０ｍｍ程度の球径をなしている。この球体２の球径は、用具を長時間装着しておいても使用者に違和感を感じさせない球径の範囲である。用具は、保持バンド１の袋状の内部に球体２を収容したものであり、保持バンド１の帯幅と球体２の球径が略同じであるため、保持バンド１内の特定箇所に球体２を固着することなく保持バンド１と球体２を一体化させることが可能となり、その結果、球体２は保持バンド１内を移動可能になっている。このような構成にすることにより、球体２が保持バンド１の特定箇所に固定されないため、保持バンド１の特定箇所に力が集中して摩耗することを防ぐことが可能となり、保持バンド１の耐久性を向上させることができる。また、保持バンド１を布製にすることにより、肌に優しく当たって装着感がソフトになると共に、足裏や掌をマッサージした際に発生する熱を逃がさずに包み込むことが可能であるため、サポーター代わりとなって保温性にも優れることから、冷えやすい手足の部位には非常に都合が良い。また、洗濯が可能となるため清潔であると共に、反復して使用することが可能となる。さらに、球体２が弾力性を保有するゴム製であるため、使用中に足裏や掌に痛み等の違和感を与えずソフトな使用感になると共に安全となる。
【００１５】
図２（ａ）（ｂ）は、本発明の第２実施形態を示す平面図である。第１実施形態と相違するところは、袋状の保持バンド１の内部に球体２を複数個収容している点である。図２（ａ）は、複数個の球体２，２を保持バンド１内に並列させて備えているものであり、複数個の球体２，２の球形は同一である。図２（ｂ）は、複数個の球体２ａ，２ｂ相互の間に間隔を設けてそれぞれを離した状態で備えるものであり、複数個の球体２ａ，２ｂは大小異なる球径をしている。大球径の球体２ａの球径は３７ｍｍ程度であり、小球径の球体２ｂの球径は３０ｍｍ程度である。このようにすることで、一つの用具で足裏や掌に様々な種類の刺激を容易に与えることが可能となる。また、球径の異なる球体２ａ，２ｂを使用した場合は、足裏や掌の刺激する部位に合わせて各球体２ａ，２ｂを使い分けることが可能となり、使用者にとって最適な押圧刺激を足裏や掌に与えながら効果的にマッサージすることができる。
【００１６】
尚、本発明は本実施形態に限定されるものではない。保持バンド１は伸縮性を保有していればどの材質でもよく、ゴム糸から形成された布地であってもよい。球体２はチタン、セラミックやトルマリン等の医療的効果のある材質から形成することで、より効果的に足裏や掌をマッサージすることができる。保持バンド１内に球径が同一な複数個の球体２，２を収容する場合は、各球体２，２相互の間に間隔を設けてそれぞれを離した状態に備えてもよく、大小異なる球径の球体２ａ，２ｂを収容する場合は、各球体２ａ，２ｂを並列させて備えてもよい。
【００１７】
次に、本発明のマッサージ用具の使用方法について説明する。
【００１８】
図３（ａ）（ｂ）は、本発明の第１実施形態を用いて足裏をマッサージしている状態を示す側面図である。図３（ａ）は保持バンド１が短い場合、図３（ｂ）は保持バンド１が長い場合のそれぞれの使用状態を示したものである。図３（ａ）は、球体２を足裏と床の間に挟み、保持バンド１を足３の甲の中足骨部分に引っ掛けて、保持バンド１を足裏と足３の甲に架け渡すことで球体２を足裏に保持させ、さらにその状態で足３を前後、左右等の任意方向に動かすことで、使用者にとって最適な刺激を足裏全体に容易に得ることができる。また、足の指で球体２を掴むことが可能であるため、足裏の刺激だけでなく指先の運動にもなる。足３を動かした場合、その動きに合わせて袋状の伸縮性を保有する保持バンド１が柔軟に折れ曲がることから、球体２を足３の動きに追従させながら全方向にスムーズ且つ自由自在に移動させることができる。また、足３を動かした場合に球体２が滑ることを防ぎ、足裏において確実に回転させながら移動することができると共に、球体２の移動を任意に止めることも容易に行うことができる。このように保持バンド１の長さが短い場合は、保持バンド１が足３の部分にのみ架かるので、使用する状態は起立した状態や椅子５等に腰を掛けた状態等、特に限定されず、使用中も用具が目立たず体裁が良い。また、ワンサイズのみで年齢、性別、体型に関係なく使用することが可能であるため、製造コストの削減化を図るこができる。
図３（ｂ）は、保持バンド１が長いため、保持バンド１を足裏と膝４の部分に架け渡すことで球体２を足裏に保持させて使用するものである。この場合、用具は椅子５等に腰を掛けて使用する必要がある。
【００１９】
図４は、本発明の第１実施形態を用いて掌をマッサージしている状態を示す平面図である。掌に球体２が位置するように保持バンド１を掌と手の甲に架け渡すことにより、球体２を掌に確実に保持することができ、その状態で球体２を指先で掴んだり放したりするだけで、掌にマッサージ効果が得られると共に、指先のリハビリにもなる。球体２は、袋状の保持バンド１によって確実に掌に保持されるため、使用中に手から球体２が離れて落ちてしまうことがないので非常に便利である。また、使用しない場合は、用具を手首に付けておけば邪魔にもならず、さらにサポーター代わりとなって暖かく非常にソフトである。
【００２０】
尚、本発明のマッサージ用具の使用用途は必ずしも足裏や掌にのみ限定されるものではなく、用具を手に持つ等することにより全身の様々な部位に使用することが可能である。
【産業上の利用可能性】
【００２１】
本発明は、例えば航空機搭乗中などにおける長時間座席に座る旅行者に対して、エコノミークラス症候群（旅行者血栓症）になることを予防することができる。
【図面の簡単な説明】
【００２２】
【図１】本発明のマッサージ用具の第１実施形態を示す斜視図である。
【図２（ａ）（ｂ）】本発明のマッサージ用具の第２実施形態を示す平面図である。
【図３（ａ）（ｂ）】本発明のマッサージ用具を使用している状態を示す側面図である。
【図４】本発明のマッサージ用具を使用している状態を示す平面図である。
【符号の説明】
【００２３】
１  保持バンド（保持帯）
２  球体
２ａ  大球径の球体
２ｂ  小球径の球体
【図１】
2005246008.tif 000003
【図２（ａ）（ｂ）】
2005246008.tif 000004
【図３（ａ）（ｂ）】
2005246008.tif 000005
【図４】
2005246008.tif 000006